(57)【要約】  【課題】  複数のコイルバネ端子を保持する端子ホルダが、変換器本体の内部基板に取り付けられてなる電気音響変換器において、内部基板上における導電部形成用の必要スペースを最小限に抑えた上で端子ホルダの取付けを行えるようにする。  【解決手段】  内部基板３８および端子ホルダ４４相互間に、内部基板３８に対して端子ホルダ４４を、マイクロホン本体２０の中心軸Ａｘに関して周方向に位置決めするための位置決め構造を設ける。具体的には、内部基板３８に固定された位置決め部材５２を、端子ホルダ４４に形成された係合溝４４ｃに挿入係合させる構成とする。これにより、内部基板３８の導電部をブルズアイ配置で形成する必要をなくすとともに内部基板３８の中心にコイルバネ端子４２を位置させる必要をなくし、内部基板３８の導電部を自由なレイアウトで形成可能とする。  【選択図】          図２
2005223618.tif 000002
【特許請求の範囲】
【請求項１】
外部基板に実装し得るように構成された電気音響変換器であって、
内部基板を有する変換器本体と、上記内部基板の導電部と接触し得るように配置された複数のコイルバネ端子と、これらコイルバネ端子を保持するようにして上記内部基板に取り付けられた端子ホルダとを備えてなり、上記外部基板への実装の際、上記各コイルバネ端子を弾性圧縮変形させて上記内部基板を上記外部基板と導通させるように構成された電気音響変換器において、
上記内部基板および端子ホルダ相互間に、上記内部基板に対して上記端子ホルダを、上記内部基板に沿った平面内において所定点に関して周方向に位置決めするための位置決め構造が設けられている、ことを特徴とする電気音響変換器。
【請求項２】
上記位置決め構造が、上記内部基板から上記端子ホルダ側へ突出するようにして該内部基板に固定された位置決め部材と、この位置決め部材を挿入係合させるようにして上記端子ホルダに形成された係合溝とからなる、ことを特徴とする請求項１記載の電気音響変換器。
【請求項３】
上記内部基板における上記所定点および該所定点から所定距離離れた位置に、１対の貫通孔が形成されており、
上記位置決め部材が、１対の突起部を有する金属プレートで構成されており、これら１対の突起部を上記１対の貫通孔に挿入した状態で上記内部基板にハンダ付けされている、ことを特徴とする請求項２記載の電気音響変換器。
【請求項４】
上記変換器本体を略筒状に覆うようにして保持するゴム製ホルダを備えてなり、このゴム製ホルダで上記変換器本体と共に上記端子ホルダも覆うようにして保持することにより、該端子ホルダの上記内部基板への取付けが行われるように構成されている、ことを特徴とする請求項１〜３いずれか記載の電気音響変換器。
【請求項５】
上記位置決め構造が、上記内部基板に形成された複数の貫通孔と、上記端子ホルダに上記内部基板側へ突出するようにして形成され、上記複数の貫通孔に挿入された状態で上記内部基板に固定された複数の突起部とからなる、ことを特徴とする請求項１記載の電気音響変換器。
【請求項６】
上記端子ホルダに、上記複数のコイルバネ端子を挿入させた状態で保持する複数の貫通孔が形成されており、
これら各貫通孔における上記内部基板側の端部が、該貫通孔における他の部分よりも径が大きい大径部として形成されるとともに、上記各コイルバネ端子における上記内部基板側の端部が、上記大径部と係合するよう、該コイルバネ端子における他の部分よりも巻き径が大きい大径部として形成されている、ことを特徴とする請求項１〜５いずれか記載の電気音響変換器。
【発明の詳細な説明】
【技術分野】
【０００１】
本願発明は、外部基板に実装し得るように構成された電気音響変換器に関するものである。
【背景技術】
【０００２】
一般に、小型のマイクロホンやスピーカ等の電気音響変換器は、外部基板（すなわち外部機器の基板）に実装し得るように構成されたものが多い。
【０００３】
例えば「特許文献１」には、１対のコイルバネ端子を保持する端子ホルダが、変換器本体の内部基板に取り付けられてなる電気音響変換器が記載されている。そして、この電気音響変換器においては、外部基板への実装の際、各コイルバネ端子を弾性圧縮変形させて、その内部基板を外部基板と導通させるようになっている。
【０００４】
【特許文献１】特開２００１−３５９１９４号公報
【発明の開示】
【発明が解決しようとする課題】
【０００５】
このようなコイルバネ端子が２つだけの電気音響変換器においては、上記「特許文献１」にも記載されているように、内部基板の中心およびその周囲に円形導電部および円環状導電部を同心状に形成して、導電部をいわゆるブルズアイ配置とするとともに、この内部基板の中心に一方のコイルバネ端子を位置させるようにして端子ホルダの取付けを行うようにすれば、端子ホルダの回転方向の位置を気にすることなく内部基板への取付けを行うことができる。そしてこれにより、変換器本体が円筒状に形成されているにもかかわらず、その内部基板に端子ホルダを容易に取り付けることができる。
【０００６】
しかしながら、このようにブルズアイ配置で内部基板の導電部を形成するようにした場合には、コイルバネ端子が３つ以上になると、円環状導電部の外周側に別の円環状導電部を追加形成することが必要となる。そして、このような多重のブルズアイ配置を採用した場合には、導電部を形成するためのスペースを内部基板上に確保することが容易でない、という問題がある。
【０００７】
また、コイルバネ端子が２つだけの場合であっても、内部基板の導電部をブルズアイ配置で形成するためには、ある程度大きなスペースを内部基板上に確保する必要があるので、電気音響変換器の小型化を図る上で大きな制約となってしまう、という問題がある。
【０００８】
本願発明は、このような事情に鑑みてなされたものであって、複数のコイルバネ端子を保持する端子ホルダが、変換器本体の内部基板に取り付けられてなる電気音響変換器において、内部基板上における導電部形成用の必要スペースを最小限に抑えた上で端子ホルダの取付けを行うことができる電気音響変換器を提供することを目的とするものである。
【課題を解決するための手段】
【０００９】
本願発明は、内部基板および端子ホルダ相互間に所定の位置決め構造を設けることにより、上記目的達成を図るようにしたものである。
【００１０】
すなわち、本願発明に係る電気音響変換器は、
外部基板に実装し得るように構成された電気音響変換器であって、
内部基板を有する変換器本体と、上記内部基板の導電部と接触し得るように配置された複数のコイルバネ端子と、これらコイルバネ端子を保持するようにして上記内部基板に取り付けられた端子ホルダとを備えてなり、上記外部基板への実装の際、上記各コイルバネ端子を弾性圧縮変形させて上記内部基板を上記外部基板と導通させるように構成された電気音響変換器において、
上記内部基板および端子ホルダ相互間に、上記内部基板に対して上記端子ホルダを、上記内部基板に沿った平面内において所定点に関して周方向に位置決めするための位置決め構造が設けられている、ことを特徴とするものである。
【００１１】
上記「電気音響変換器」の種類は特に限定されるものではなく、例えば、スピーカ、ブザー、マイクロホン、レシーバ等が採用可能である。
【００１２】
上記「端子ホルダ」は、内部基板に取り付けられた構成となっているが、その具体的な構成としては、内部基板に直接取り付けられた構成であってもよいし、他の部材を介して取り付けられた構成であってもよい。
【００１３】
上記複数の「コイルバネ端子」の配置および個数は特に限定されるものではなく、また、これら各「コイルバネ端子」は、内部基板の導電部と接触し得るように配置されていれば、電気音響変換器が外部基板に実装される前の段階では、導電部と必ずしも接触していなくてもよい。
【００１４】
上記「所定点」の具体的な位置は特に限定されるものではなく、例えば、内部基板の中心位置あるいは変換器本体の中心位置等が採用可能である。
【００１５】
上記「位置決め構造」は、内部基板に対して端子ホルダを所定点に関して周方向に位置決めするように構成されたものであれば、その具体的な構成は特に限定されるものではない。
【発明の効果】
【００１６】
上記構成に示すように、本願発明に係る電気音響変換器は、複数のコイルバネ端子を保持する端子ホルダが、変換器本体の内部基板に取り付けられた構成となっているが、内部基板および端子ホルダ相互間には、内部基板に対して端子ホルダを、内部基板に沿った平面内において所定点に関して周方向に位置決めするための位置決め構造が設けられているので、次のような作用効果を得ることができる。
【００１７】
すなわち、内部基板の導電部が従来のようにブルズアイ配置で形成されていなくても、上記位置決め構造により、内部基板に対して端子ホルダが所定点に関して周方向に位置決めされるので、内部基板上における導電部の形成位置に対して、端子ホルダにおける各コイルバネ端子の保持位置を、所定点を基準にして予め対応づけておけば、端子ホルダを内部基板に取り付けたときに、各コイルバネ端子を各導電部と接触し得るように配置することができる。
【００１８】
そして、このように内部基板の導電部をブルズアイ配置で形成する必要がなくなるので、内部基板の中心にコイルバネ端子を位置させる必要もなくなる。したがって、内部基板上において導電部を自由なレイアウトで形成することができ、これにより内部基板上のスペースを有効に利用することができる。
【００１９】
したがって、コイルバネ端子が２つだけの場合はもちろん、コイルバネ端子が３つ以上になった場合においても、これに対応する導電部を内部基板上の狭いスペースに形成することが容易に可能となる。
【００２０】
このように本願発明によれば、複数のコイルバネ端子を保持する端子ホルダが、変換器本体の内部基板に取り付けられてなる電気音響変換器において、内部基板上における導電部形成用の必要スペースを最小限に抑えた上で端子ホルダの取付けを行うことができる。
【００２１】
上記構成において「所定点」の具体的な位置が特に限定されないことは上述したとおりであるが、例えば、内部基板が変換器本体の一部として組み込まれた後に該内部基板に端子ホルダが取り付けられる構成となっている場合において、変換器本体の中心軸上の点を「所定点」として設定すれば、変換器本体が周方向に関して方向性のない円筒状に形成されているような場合であっても、その内部基板に対して端子ホルダを周方向に位置決めすることができ、また、内部基板が変換器本体の一部として組み込まれる前に該内部基板に端子ホルダが取り付けられる構成となっている場合において、内部基板の中心点を「所定点」として設定すれば、内部基板が周方向に関して方向性のない円板状に形成されているような場合であっても、この内部基板に対して端子ホルダを周方向に位置決めすることができる。
【００２２】
上記構成において、上記周方向の位置決め構造の具体的な構成が特に限定されないことは上述したとおりであるが、これを、内部基板から端子ホルダ側へ突出するようにして該内部基板に固定された位置決め部材と、この位置決め部材を挿入係合させるようにして端子ホルダに形成された係合溝とからなる構成とすれば、位置決め構造を簡単な構成で実現することができる。
【００２３】
しかも、このような構成を採用した場合には、内部基板が変換器本体の一部として組み込まれた後に、端子ホルダが取り付けられる場合であっても、内部基板と端子ホルダとの位置決めを行うことができる。したがって、内部基板に位置決め部材が固定された状態の変換器本体を標準品として設定しておき、実装対象となる外部基板の構成等に応じて、外形形状やコイルバネ端子の保持個数の異なる端子ホルダを内部基板に取り付けるようにすることも可能となる。
【００２４】
その際、内部基板における上記所定点および該所定点から所定距離離れた位置に１対の貫通孔を形成するとともに、位置決め部材を１対の突起部を有する金属プレートで構成し、これら１対の突起部を上記１対の貫通孔に挿入した状態で内部基板にハンダ付けするようにすれば、内部基板の内外空間に対するシール性を確保した上で、内部基板に対して位置決め部材を確実に固定することができる。
【００２５】
また、このように位置決め部材を金属プレートで構成することにより、その板厚を薄くしても十分な剛性を確保することができるので、端子ホルダの係合溝をスリット状の溝として形成することができ、これにより係合溝にコイルバネ端子が誤って挿入されてしまうのを未然に防止することができる。しかも、このスリット状の溝として形成された係合溝は所定点に関して径方向に延びているので、端子ホルダにおける各コイルバネ端子の保持位置から外れた位置に係合溝を形成することも容易に可能となる。
【００２６】
ところで、外部基板に実装し得るように構成された電気音響変換器においては、変換器本体を略筒状に覆うようにして保持するゴム製ホルダを備えた構成となっている場合が多いが、このような場合において、ゴム製ホルダで変換器本体と共に端子ホルダも覆うようにして保持することにより、該端子ホルダの内部基板への取付けを行う構成とすれば、その取付構造を簡素化することができる。
【００２７】
一方、上記周方向の位置決め構造を、内部基板に形成された複数の貫通孔と、端子ホルダに内部基板側へ突出するようにして形成され、上記複数の貫通孔に挿入された状態で内部基板に固定された複数の突起部とからなる構成とすれば、位置決め構造を簡単な構成で実現することができるとともに、この位置決め構造によって端子ホルダの内部基板への取付けも同時に行うことができる。
【００２８】
また上記構成において、端子ホルダに、複数のコイルバネ端子を挿入させた状態で保持する複数の貫通孔を形成しておき、これら各貫通孔における内部基板側の端部を、該貫通孔における他の部分よりも径が大きい大径部として形成するとともに、各コイルバネ端子における内部基板側の端部を、各貫通孔の大径部と係合するよう、該コイルバネ端子における他の部分よりも巻き径が大きい大径部として形成すれば、端子ホルダによる各コイルバネ端子の保持を簡単な構成により実現することができる。
【発明を実施するための最良の形態】
【００２９】
以下、図面を用いて、本願発明の実施の形態について説明する。
【００３０】
まず、本願発明の第１実施形態について説明する。
【００３１】
図１は、本実施形態に係る電気音響変換器１０を上向きに配置した状態で示す側断面図である。また、図２は、図１のII方向矢視図であり、図３は、図２のIII-III 線断面図である。
【００３２】
これらの図に示すように、本実施形態に係る電気音響変換器１０は、小型のエレクトレットコンデンサマイクロホンであって、変換器本体を構成するマイクロホン本体２０と、４つのコイルバネ端子４２と、端子ホルダ４４と、ゴム製ホルダ４６とを備えてなり、外部機器（例えば携帯電話機等）の基板である外部基板１００に実装し得るように構成されている。
【００３３】
マイクロホン本体２０は、背の低い円筒状の金属カバー２２内に、振動膜サブアッセンブリ２４、スペーサ２６、背面電極板２８、絶縁性ブッシュ３０、金属リング３２、電界効果トランジスタ３４、コンデンサ３６および内部基板３８が収容されてなっている。なお、図３においては、金属カバー２２内に収容されたマイクロホン本体２０の構成要素のうち内部基板３８以外の構成要素は、２点鎖線で省略して示す。
【００３４】
金属カバー２２は、その外径が比較的小さい値（例えば４〜８ｍｍ程度の値）に設定されており、その下端部において内部基板３８の外周縁部にカシメ固定されている。なお、この金属カバー２２の上面にはフィルタ４０が貼付されている。
【００３５】
内部基板３８は、金属カバー２２の内径と略同一径を有する円板状部材であって、その上下両面には導電部（図示せず）が所定のパターンで形成されており、その上面の所定位置に電界効果トランジスタ３４およびコンデンサ３６が実装されている。
【００３６】
端子ホルダ４４は、平面視において略Ｄ字状の外形形状を有する絶縁性部材であって、４つのコイルバネ端子４２を保持した状態で、内部基板３８に取り付けられている。この取付けは、端子ホルダ４４を金属カバー２２の下端縁に当接させるようにして行われている。その際、この端子ホルダ４４には、金属カバー２２の外径と略等しい内径を有する環状フランジ部４４ａが形成されており、この環状フランジ部４４ａにより金属カバー２２に対する径方向の位置決めを行うようになっている。そしてこれにより、環状フランジ部４４ａの中心位置をマイクロホン本体２０の中心軸Ａｘ上に位置させるようになっている。
【００３７】
この端子ホルダ４４には、該端子ホルダ４４を上下方向に貫通する４つの貫通孔４４ｂが形成されている。これら４つの貫通孔４４ｂは、環状フランジ部４４ａの中心位置（すなわちマイクロホン本体２０の中心軸Ａｘ）を中心とする同一円周上の４箇所に９０°間隔で配置されている。これら各貫通孔４４ｂは円柱状に形成されており、その上端部４４ｂ１は、該貫通孔４４ｂにおける他の部分よりも径が大きい大径部として形成されている。そして、この端子ホルダ４４は、これら各貫通孔４４ｂに各コイルバネ端子４２を挿入させた状態でその保持を行うようになっている。
【００３８】
４つのコイルバネ端子４２は、電源端子、出力端子、アース端子およびダミー端子であって、いずれも金属製の圧縮コイルバネで構成されている。これら各コイルバネ端子４２の上端部４２ａは、各貫通孔４４ｂの上端部４４ｂ１と係合するよう、該コイルバネ端子４２における他の部分よりも巻き径が大きい大径部として形成されている。そして、これら各コイルバネ端子４２は、端子ホルダ４４の各貫通孔４４ｂに挿入保持された状態で、その上端部４２ａが内部基板３８の下面に形成された導電部と接触し得るようになっている。
【００３９】
ゴム製ホルダ４６は、マイクロホン本体２０および端子ホルダ４４を略筒状に覆うようにして保持する部材であって、平面視において略Ｄ字状の外形形状を有しており、その内周面はマイクロホン本体２０および端子ホルダ４４の外周形状に沿って形成されている。そして、このゴム製ホルダ４６は、その下端部の環状リップ部４６ａが端子ホルダ４４の外周縁部に下方側から当接して該端子ホルダ４４を金属カバー２２の下端縁に当接させるようになっている。そしてこれにより、端子ホルダ４４は、ゴム製ホルダ４６を介して内部基板３８に取り付けられるようになっている。
【００４０】
本実施形態に係る電気音響変換器１０においては、内部基板３８および端子ホルダ４４相互間に、内部基板３８に対して端子ホルダ４４をマイクロホン本体２０の中心軸Ａｘに関して周方向に位置決めするための位置決め構造が設けられている。
【００４１】
この位置決め構造は、内部基板３８から下方へ突出するようにして該内部基板３８に固定された位置決め部材５２と、この位置決め部材５２を挿入係合させるようにして端子ホルダ４４に形成された係合溝４４ｃとからなっている。
【００４２】
位置決め部材５２は、金属プレートで構成されており、その上端部には上方へ突出する１対の突起部５２ａが所定間隔をおいて形成されている。一方、端子ホルダ４４の係合溝４４ｃは、位置決め部材５２の断面形状よりもひと回り大きい横長矩形状の断面形状を有している。また、内部基板３８における中心軸Ａｘおよび中心軸Ａｘから上記所定距離だけ離れた位置には、１対の貫通孔３８ａが形成されている。そして、位置決め部材５２は、その１対の突起部５２ａが１対の貫通孔３８ａに挿入された状態で、内部基板３８の上面において該内部基板３８にハンダ付けされている。このハンダ付けにより、各貫通孔３８ａを閉塞するとともに、位置決め部材５２を内部基板３８の上面に形成された導電部と導通させて接地を図り、位置決め部材５２が外乱により電気的な影響を受けてしまうのを防止するようになっている。
【００４３】
本実施形態に係る電気音響変換器１０は、外部基板１００に実装されたとき、その各コイルバネ端子４２が弾性圧縮変形して、その内部基板３８を外部基板１００と導通させるようになっている。なお、この外部基板１００への実装は、電気音響変換器１０を外部機器のカバー部材１０２に形成された装着部１０２ａに予め装着した状態で、これを外部基板１００に押し当てるようにして行われるようになっている。
【００４４】
その際、この電気音響変換器１０は、そのゴム製ホルダ４６および端子ホルダ４４が平面視において略Ｄ字状の外形形状を有していることから、カバー部材１０２の装着部１０２ａに対して所定の向きで装着し得るようになっている。
【００４５】
以上詳述したように、本実施形態に係る電気音響変換器１０は、４つのコイルバネ端子４２を保持する端子ホルダ４４が、マイクロホン本体２０の内部基板３８に取り付けられた構成となっているが、内部基板３８および端子ホルダ４４相互間には、内部基板３８に対して端子ホルダ４４を、マイクロホン本体２０の中心軸Ａｘに関して周方向に位置決めするための位置決め構造が設けられているので、次のような作用効果を得ることができる。
【００４６】
すなわち、内部基板３８の導電部が従来のようにブルズアイ配置で形成されていなくても、上記位置決め構造により、内部基板３８に対して端子ホルダ４４が周方向に位置決めされるので、内部基板３８上における導電部の形成位置に対して、端子ホルダ４４における各コイルバネ端子４２の保持位置を、中心軸Ａｘを基準にして予め対応づけておくことにより、端子ホルダ４４を内部基板３８に取り付けたときに、各コイルバネ端子４２を各導電部と接触し得るように配置することができる。
【００４７】
そして、このように内部基板３８の導電部をブルズアイ配置で形成する必要がなくなるので、内部基板３８の中心にコイルバネ端子４２を位置させる必要もなくなる。したがって、内部基板３８上において導電部を自由なレイアウトで形成することができ、これにより内部基板３８上のスペースを有効に利用することができる。
【００４８】
このように本実施形態によれば、内部基板３８上における導電部形成用の必要スペースを最小限に抑えた上で端子ホルダ４４の取付けを行うことができる。
【００４９】
その際、本実施形態に係る電気音響変換器１０は、そのマイクロホン本体２０が周方向に関して方向性のない円筒状に形成されているにもかかわらず、その内部基板３８に対する端子ホルダ４４の周方向の位置決めを行うことができる。
【００５０】
また本実施形態においては、周方向の位置決め構造が、内部基板３８から端子ホルダ４４側へ突出するようにして該内部基板３８に固定された位置決め部材５２と、この位置決め部材５２を挿入係合させるようにして端子ホルダ４４に形成された係合溝４４ｃとからなっているので、位置決め構造を簡単な構成で実現することができるとともに、次のような作用効果を得ることができる。
【００５１】
すなわち、本実施形態に係る電気音響変換器１０は、内部基板３８がマイクロホン本体２０の一部として組み込まれた後に、端子ホルダ４４が取り付けられる構成となっているが、このような場合であっても内部基板３８と端子ホルダ４４との位置決めを行うことができる。したがって本実施形態においては、内部基板３８に位置決め部材５２が固定された状態のマイクロホン本体２０を標準品として設定しておき、実装対象となる外部基板１００の構成等に応じて、外形形状やコイルバネ端子４２の保持個数の異なる端子ホルダ４４を内部基板３８に取り付けるようにすることも可能となる。
【００５２】
その際、本実施形態においては、内部基板３８における中心軸Ａｘおよび該中心軸Ａｘから所定距離離れた位置に１対の貫通孔３８ａが形成されるとともに、位置決め部材５２が１対の突起部５２ａを有する金属プレートで構成されており、これら１対の突起部５２ａが１対の貫通孔３８ａに挿入された状態で内部基板３８にハンダ付けされているので、内部基板３８の内外空間に対するシール性を確保した上で、内部基板３８に対して位置決め部材５２を確実に固定することができる。
【００５３】
また、このように位置決め部材５２が金属プレートで構成されていることにより、その板厚を薄くしても十分な剛性を確保することができるので、端子ホルダ４４の係合溝４４ｃをスリット状の溝として形成することができ、これにより係合溝４４ｃにコイルバネ端子４２が誤って挿入されてしまうのを未然に防止することができる。しかも、このスリット状の溝として形成された係合溝４４ｃは中心軸Ａｘに関して径方向に延びているので、端子ホルダ４４の４つの貫通孔４４ｂの形成位置から外れた位置に係合溝４４ｃを形成することも容易に可能となる。
【００５４】
さらに本実施形態においては、マイクロホン本体２０を略筒状に覆うようにして保持するゴム製ホルダ４６が、マイクロホン本体２０と共に端子ホルダ４４も覆うようにして保持する構成とすることにより、端子ホルダ４４の内部基板３８への取付けを行うようになっているので、その取付構造の簡素化を図ることができる。
【００５５】
本実施形態においては、端子ホルダ４４に、４つのコイルバネ端子４２を挿入させた状態で保持する４つの貫通孔４４ｂが形成されているが、これら各貫通孔４４ｂの上端部４４ｂ１は、該貫通孔４４ｂにおける他の部分よりも径が大きい大径部として形成されており、また、各コイルバネ端子４２の上端部４２ａは、各貫通孔４４ｂの大径部と係合するよう、該コイルバネ端子４２における他の部分よりも巻き径が大きい大径部として形成されているので、端子ホルダ４４による各コイルバネ端子４２の保持を簡単な構成により実現することができる。
【００５６】
次に、本願発明の第２実施形態について説明する。
【００５７】
図４は、本実施形態に係る電気音響変換器６０を上向きに配置した状態で示す側断面図である。また、図５は、図４のＶ方向矢視図であり、図６は、図５のVI-VI 線断面図である。なお、図６においては、金属カバー２２内に収容されたマイクロホン本体２０の構成要素のうち内部基板３８以外の構成要素は、２点鎖線で省略して示す。
【００５８】
これらの図に示すように、本実施形態に係る電気音響変換器６０は、その基本的な構成は第１実施形態に係る電気音響変換器１０と全く同様であるが、内部基板３８に対して端子ホルダ４４を、マイクロホン本体２０の中心軸Ａｘに関してその周方向に位置決めするための位置決め構造が、第１実施形態に係る電気音響変換器１０と異なっている。
【００５９】
すなわち、本実施形態においては、周方向の位置決め構造が、内部基板３８に形成された１対の貫通孔３８ｂと、端子ホルダ４４の上端部から上方へ突出するようにして形成されるとともに各貫通孔３８ｂに挿入されるようにして内部基板３８に固定された１対の突起部４４ｄとからなっている。
【００６０】
これら各突起部４４ｄの内部基板３８に対する固定は、各貫通孔３８ｂに挿入された各突起部４４ｄの先端部を、内部基板３８の上面において熱溶着することにより行われている。そして、この熱溶着により各貫通孔３８ｂを閉塞するようになっている。
【００６１】
本実施形態の構成を採用することにより、位置決め構造を簡単な構成で実現することができるとともに、この位置決め構造によって端子ホルダ４４の内部基板３８への取付けも同時に行うことができる。
【００６２】
本実施形態においては、内部基板３８がマイクロホン本体２０の一部として組み込まれる前に、この内部基板３８に対して端子ホルダ４４が取り付けられることとなるが、その際、内部基板３８が方向性のない円板状に形成されているにもかかわらず、上記位置決め構造によって内部基板３８に対して端子ホルダ４４を周方向に位置決めすることができる。
【００６３】
また本実施形態においては、内部基板３８に対して端子ホルダ４４が直接取り付けられる構成となっているので、第１実施形態のように、端子ホルダ４４に環状フランジ部４４ａを形成して金属カバー２２に対する径方向の位置決めを行ったり、端子ホルダ４４の外周縁部を金属カバー２２の下端縁に当接させたりする必要がなく、このため端子ホルダ４４をコンパクトに構成することができる。
【００６４】
なお本実施形態においては、端子ホルダ４４の外周面の２箇所に、形状の異なる切欠き部４４ｅ、４４ｆが形成されており、一方、ゴム製ホルダ４６の内周面下端部の２箇所には、これら各切欠き部４４ｅ、４４ｆと係合する１対のタブ４６ｂ、４６ｃが形成されている。そしてこれにより、ゴム製ホルダ４６を端子ホルダ４４およびマイクロホン本体２０に対して周方向に位置決めするようになっている。
【００６５】
なお、本実施形態のように端子ホルダ４４の各突起部４４ｄを熱溶着によって内部基板３８に固定する代わりに、接着等によって固定することももちろん可能である。
【００６６】
ところで、上記各実施形態においては、４つのコイルバネ端子４２が、マイクロホン本体２０の中心軸Ａｘに関して同一円周上の４箇所に９０°間隔で配置されているものとして説明したが、これら４つのコイルバネ端子４２が等角度間隔で形成されてない場合あるいは同一円周上に形成されていない場合、さらには、コイルバネ端子４２の個数が２個、３個あるいは５個以上の場合においても、上記各実施形態と同様の位置決め構造を採用することにより上記各実施形態と同様の作用効果を得ることができる。
【００６７】
また、上記各実施形態においては、マイクロホン本体２０が円筒状に形成されるとともに内部基板３８が円板状に形成されているものとして説明したが、マイクロホン本体２０および内部基板３８の外形形状が上記以外の形状に設定されている場合においても、上記各実施形態と同様の位置決め構造を採用することにより上記各実施形態と同様の作用効果を得ることができる。
【図面の簡単な説明】
【００６８】
【図１】本願発明の第１実施形態に係る電気音響変換器を上向きに配置した状態で示す側断面図
【図２】図１のII方向矢視図
【図３】図２のIII-III 線断面図
【図４】本願発明の第２実施形態に係る電気音響変換器を上向きに配置した状態で示す側断面図
【図５】図４のＶ方向矢視図
【図６】図５のVI-VI 線断面図
【符号の説明】
【００６９】
１０、６０  電気音響変換器
２０  マイクロホン本体
２２  金属カバー
２４  振動膜サブアッセンブリ
２６  スペーサ
２８  背面電極板
３０  絶縁性ブッシュ
３２  金属リング
３４  電界効果トランジスタ
３６  コンデンサ
３８  内部基板
３８ａ、３８ｂ  貫通孔
４０  フィルタ
４２  コイルバネ端子
４２ａ  上端部
４４  端子ホルダ
４４ａ  環状フランジ部
４４ｂ  貫通孔
４４ｂ１  上端部
４４ｃ  係合溝
４４ｄ  突起部
４４ｅ、４４ｆ  切欠き部
４６  ゴム製ホルダ
４６ａ  環状リップ部
４６ｂ、４６ｃ  タブ
５２  位置決め部材
５２ａ  突起部
１００  外部基板
１０２  カバー部材
１０２ａ  装着部
Ａｘ  中心軸
【図１】
2005223618.tif 000003
【図２】
2005223618.tif 000004
【図３】
2005223618.tif 000005
【図４】
2005223618.tif 000006
【図５】
2005223618.tif 000007
【図６】
2005223618.tif 000008